(57)【要約】      （修正有）【課題】木の持つぬくもりとデザインの自由性とによって使用者及び見るものに癒し効果を与えると共に、優れたデザイン感を看取させ、また、使用者等が躓き事故等を起こすことが防止されて安全性が確保され、しかも、木材使用による省資源的効果があると共に多機能性を備えた移動式ボードを提供する。【解決手段】ボード本体１と、ボード本体１の両側面に沿って取り付けられてボード本体１を支持するスタンド２、３とから成り、ボード本体１は、映写スクリーンとしての使用が可能であって、その上面に、折り畳み及び／又は伸縮可能で、先端にプロジェクターを取り付け可能にしたアームを取り付けたものであり、スタンド２、３は、少なくともその下部がボード本体１の厚みよりも広幅で、ボード本体１に対し、平面視において直交状態に配置されるものであって、安定した立直姿勢を確保し得る木製板材である。【選択図】図１
0003186646.tif 000002
【実用新案登録請求の範囲】
【請求項１】
ボード本体と、前記ボード本体の両側面に沿って取り付けられて前記ボード本体を支持するスタンドとから成り、前記ボード本体は、映写スクリーンとしての使用が可能であって、その上面に、折り畳み及び／又は伸縮可能で、先端にプロジェクターを取り付け可能にしたアームを取り付けたものであり、前記スタンドは、少なくともその下部が前記ボード本体の厚みよりも広幅で、前記ボード本体に対し、平面視において直交状態に配置されるものであって、安定した立直姿勢を確保し得る木製板材であることを特徴とする移動式ボード。
【請求項２】
前記スタンドは、使用時にその前後方向に旋回して先端が着地する一対の傾倒防止用支持脚を有する、請求項１に記載の移動式ボード。
【請求項３】
前記スタンドは、人、動物その他何らかの形を表す形状にカットされている、請求項１又は２に記載の移動式ボード。
【請求項４】
前記スタンドは、集成材製である、請求項１乃至３のいずれかに記載の移動式ボード。
【請求項５】
前記スタンドは、断面三層構造であって、その中間層に炭要素が付加・配設されている、請求項１乃至４のいずれかに記載の移動式ボード。
【請求項６】
前記炭要素の付加・配設は、炭塗料の塗布、炭塗料を塗布し又は含浸させたコア板又はシートの挟み込み、固形・粒状又は粉状の炭の封入のいずれかである、請求項５に記載の移動式ボード。
【請求項７】
前記スタンドは、その正面側端面に適宜深さの筆記具差込孔を有している、請求項１乃至６のいずれかに記載の移動式ボード。
【請求項８】
前記スタンドは、その外側面及び／又は内側面に、小物、教材、備品等の小物箱を備えている、請求項１乃至７のいずれかに記載の移動式ボード。
【請求項９】
前記スタンドは、その下面にキャスターを備えている、請求項１乃至８のいずれかに記載の移動式ボード。
【請求項１０】
前記スタンド間に、前記ボード本体を昇降させる機能を具備させた、請求項１乃至９のいずれかに記載の移動式ボード。
【請求項１１】
前記スタンドに、前記ボード本体を傾斜させる機能を具備させた、請求項１乃至１０のいずれかに記載の移動式ボード。
【請求項１２】
前記ボード本体の四周フレームのうち少なくとも両側のフレームに木面部分を配した、請求項１乃至１１のいずれかに記載の移動式ボード。
【考案の詳細な説明】
【技術分野】
【０００１】
本考案は移動式ボード、より詳細には、学校等の教育機関や関連施設、あるいは、一般企業等で使用される黒板、ホワイトボード、電子黒板、スクリーン、掲示板その他のボード類で、移動可能な移動式ボードに関するものである。
【背景技術】
【０００２】
従来の移動式ボードとしては、スチール製及び木製を問わず、ボード本体の両側に、棒状の枠材を逆Ｔ字型に組み立てたスタンドによる、単純なスタンディング形状のものが一般的である（図９参照）。そのうち特にスチール製のものについては、メッキや塗装などの表面処理が必要なために有害物質等を含有させる可能性があり、自然素材の木製と比較した場合は、省資源的にも不利と言わざるを得ない。
【０００３】
また、ボード本体の両側に取り付けられるスタンドは逆Ｔ字型で、その脚足部は床に並行に前後方向に突き出た形態であって視界に入りにくいため、歩行者がそれに躓いて転倒事故を起こすことも少なくなかった。その他にも従来のものは、スタンド機能のみを最優先させた構造であるため、近代の学校等で使用される環境には余りそぐわない無機的な形状、形態となっていて、デザイン上の工夫や、使用者のメンタル面への配慮はほとんどなされていないというのが実情である。
【先行技術文献】
【特許文献】
【０００４】
【特許文献１】特願平１１−１９２７９７号公報
【特許文献２】特願平１０−５０７１号公報
【特許文献３】特願平９−１０９５９２号公報
【特許文献４】特願平８−２４０６４号公報
【考案の概要】
【考案が解決しようとする課題】
【０００５】
本考案は、上記従来の移動式ボードにおける実情に鑑みてなされたもので、木の持つぬくもりとデザインの自由性とによって使用者及び見るものに癒し効果を与えると共に、優れたデザイン感を看取させ、また、使用者等が躓き事故等を起こすことが防止されて安全性が確保され、しかも、木材使用による省資源的効果があると共に多機能性を備えた移動式ボードを提供することを課題とする。
【課題を解決するための手段】
【０００６】
上記課題を解決するための請求項１に記載の考案は、ボード本体と、前記ボード本体の両側面に沿って取り付けられて前記ボード本体を支持するスタンドとから成り、前記ボード本体は、映写スクリーンとしての使用が可能であって、その上面に、折り畳み及び／又は伸縮可能で、先端にプロジェクターを取り付け可能にしたアームを取り付けたものであり、前記スタンドは、少なくともその下部が前記ボード本体の厚みよりも広幅で、前記ボード本体に対し、平面視において直交状態に配置されるものであって、安定した立直姿勢を確保し得る木製板材であることを特徴とする移動式ボードである。
【０００７】
前記スタンドは、少なくともその下部に、その安定した立直姿勢を確保するに足る幅面を有し、あるいは、使用時にその前後方向に旋回して先端が着地する一対の傾倒防止用支持脚を有する。好ましくは、前記スタンドは、人、動物その他何らかの形を表す形状にカットすることとし、また、前記スタンドは集成材製とする。
【０００８】
前記スタンドは断面三層構造にし、中間層に炭要素を付加・配設することが好ましい。前記炭要素の付加・配設方法としては、炭塗料の塗布、炭塗料を塗布し又は含浸させたコア板又はシートの挟み込み、固形・粒状又は粉状の炭の封入のいずれかが考えられる。
【０００９】
更に好ましくは、前記スタンドの正面側端面に適宜深さの筆記具差込孔を形成し、前記スタンドの外側面及び／又は内側面に、小物、教材、備品等の受箱を取り付け、また、前記スタンドの下面にキャスターを取り付ける。
【００１０】
更に、前記スタンドに、前記ボード本体を昇降させる機能を具備させることができると共に、前記ボード本体を傾斜させる機能を具備させることができる。
【００１１】
また、前記ボード本体の四周フレームのうち、少なくとも両側のフレームに木面を配することが好ましい。
【考案の効果】
【００１２】
本考案は上記のとおりであり、スタンドの少なくとも下部が、幅面を有する木製の板材で構成されるために安定感があり、且つ、下端部が突出しないために躓くことがなくて安全であり、また、木製板材であるためにデザインに自由性があるので、顧客の要望に応じた形状にて供給することが容易である。
【００１３】
更に、木製であるために木のぬくもりを感じることができて、いわゆる癒し効果があり、炭要素を配設した場合には吸臭効果を持たせることができ（請求項４、５）、小物、備品等の受箱の設置が容易で（請求項６、７）、ボード本体の昇降、傾斜機能を持たせることも可能（請求項９、１０）といった効果がある。
【００１４】
請求項１２乃至１５に係る考案においては、プロジェクター設置用テーブル等を用意することなく、また、当該テーブル等の配置に伴うスペース的制約を受けることなく、ボード本体をスクリーンとして、あるいは、その前にスクリーンを垂下させて、容易且つ手軽に映写を行うことが可能となる効果がある。
【図面の簡単な説明】
【００１５】
【図１】本考案に係る移動式ボードの一実施形態の正面図である。
【図２】本考案に係る移動式ボードの一実施形態の側面図である。
【図３】本考案に係る移動式ボードにおけるスタンドの形状例を示す図である。
【図４】本考案に係る移動式ボードにおけるスタンドの他の構成例を示す図である。
【図５】本考案に係る移動式ボードの他の実施形態を示す正面部分図である。
【図６】本考案に係る移動式ボードの更に他の実施形態を示す側面図である。
【図７】本考案に係る移動式ボードの更に他の実施形態を示す図である。
【図８】本考案に係る移動式ボードの更に他の実施形態を示す図である。
【図９】従来の移動式ボードの構成例を示す図である。
【考案を実施するための形態】
【００１６】
本考案を実施するための形態について、添付図面に依拠して説明する。図１は本考案に係る移動式ボードの一実施形態の正面図、図２はその側面図であり、それは、ボード本体１と、ボード本体１の両側に取り付けられてボード本体１を支持するスタンド２、３とから成り、必要に応じ、スタンド２、３間に連結材１２が渡される。通例、スタンド２、３の下面にキャスター４が取り付けられて、移動自在にされる。
【００１７】
スタンド２、３は木製板材（面体）製であって、ボード本体１に対して直交状態に配置される。スタンド２、３は、その下部が、自らの安定した立直姿勢を確保できるように、十分な幅面を有するものとされる。但し、その幅面部分は下端部のみではなく、下端からある程度上方位置まで続くものとする。換言すれば、下端部のみ幅広にして逆Ｔ字型となることを避けるために、下部を線状ではなく面状にするのである。一例を挙げれば、面状とするのは、下端から約３分の１の部分である。通例、下端部が最も幅広形状となるようにされるが、形状によっては、中間部が最も幅広となることもある。    
【００１８】
スタンド２、３の形状は、顧客の要望に合わせて、また、幼稚園、小学校、病院等の利用場所の環境、雰囲気等を考慮して、任意のものとなし得る。例えば、図２に示すものはネコを人物的に表したものであり、図３の（Ａ）、（Ｂ）に示すものは、人物を漫画的に表わしたものである。
【００１９】
スタンド２、３は、間伐材等を活用した環境にやさしい集成材を使用することが推奨される。その場合、３層構造にし（図４参照）、中間層５に炭要素を付加・配設することができる。ここに言う炭要素の付加・配設方法としては、例えば、中間層５として、炭塗料を塗布し又は含浸させたコア板、あるいは、シートを挟み込むことが考えられる。また、表面材間に固形・粒状又は粉状の炭を封入して中間層５としたり、各表面材の内面に炭塗料を塗布し、該炭塗料を以て中間層５とすることもできる。
【００２０】
スタンド２、３は、上記のように三層構造にする等してある程度の厚みを持たせることにより、その正面側端面に、マーカーやチョーク等のボード用筆記具を差し込んでおくための適宜深さの筆記具差込孔６を穿設できるようにすることが好ましい（図３参照）。筆記具差込孔６は、通例複数穿設され、言うまでもなくその深さは、筆記具の一部が突出する深さとされる。また、必要に応じ、スタンド２、３の外側面及び／又は内側面に、チョーク、マーカー等の筆記具や教材、その他の小物類を入れるための小物入れ箱７が、適宜取り付けられる（図３（Ｂ）参照）。  
【００２１】
ボード本体１は、黒板、ホワイトボード、スクリーン、電子黒板、あるいは、掲示板等となし得る。また、多機能性を持つボードとして、研ぎ出し加工、焼き付け加工等により筆記面を形成するに当たり、その筆記面を薄有色にすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものを用いることができる。その色としては、薄いグレー、グリーン、ブルー、ベージュ又はピンクが考えられる。  
【００２２】
このボードは、本願出願人が開発したものであって、筆記面がスクリーンとしての使用に適する薄有色であって、表面粗さがチョーク及びマーカーの使用及びその払拭に適した範囲であるため、一つの筆記面にてチョークボード、マーカーボード、更にはスクリーンとしての利用が可能となるものである。  
【００２３】
ボード本体１の四周、あるいは、少なくとも両側辺のフレームを木製とした場合には、
スタンド２、３との一体感が出て、デザイン上の調和も取れる。特に両側面に幅広の木目材８を配することにより、木材による癒し効果を一層助長させることができる。
【００２４】
一実施形態においては、ボード本体１を昇降させて所望の高さに位置させることが可能となるように構成される。そのためには、例えば、スタンド２、３の上部間に昇降装置用フレーム１１を渡す等して、既知のモータ駆動式、エアシリンダー駆動式等の昇降駆動手段１０を設置すればよい（図５参照）。
【００２５】
また、別の実施形態においては、ボード本体１を所望の角度に傾斜させることが可能となるように構成される。そのためには、例えば、ボード本体１の側面に、スタンド２、３を貫いて挿入した支軸１３の先端部を差し込んで固定し、支軸１３を回転させることによってボード本体１を、所望の角度に傾斜させることが可能となるように構成すればよい（図６参照）。この場合、回転させた支軸１３をその位置に固定するための回り止め手段として、例えば、止めネジが設置されることもある。なお、この場合、支軸１３を挿入する穴１４を上下方向に複数設けておくことにより、支軸１３を挿入する穴１４を変更してボード本体１の高さ位置を変更できるようにすることもできる。
【００２６】
図７に示す実施形態は、スタンド２、３の安定した立直姿勢を確保するために、スタンド２、３の内側面又は外側面に、一対の傾倒防止用支持脚９を枢着したものである。この支持脚９は、本ボード使用時において、前方又は後方に回動させてそれぞれ先端を着地させる（図７（Ｂ）参照）。かくしてスタンド２、３は、前方向及び後方向に傾倒するおそれがなくなり、その安定した立直姿勢を保持する。
【００２７】
図８に示す実施形態は、本ボードにスクリーン映写機能を持たせたものである。即ち、
ボード本体１の上面に、先端にプロジェクター取付板１５ａを備えたアーム１５が、旋回可能に設置される。アーム１５は、例えば、一又は複数の屈曲部が形成されて折り畳み可能にされ、及び/又は、伸縮可能にされることにより、プロジェクター取付板１５ａに取り付けられたプロジェクターが、スクリーンとなるボード本体１のボード面に向くようにされる。この場合のボード本体１としては、筆記面が上述した多機能性を有するものが用いられる。
【００２８】
更に、図示していないが、ボード本体１を前後二重のボード面を有するものとし、裏面ボードに対して前面ボードを横方向にスライド可能に構成することもできる。この場合、例えば、後面が黒板とされ、前面がホワイトボード又はスクリーンとされる。
【００２９】
上記構成の本考案に係る移動式ボードは、学校等の教育機関や関連施設、あるいは、一般企業等において所望場所に移動して、一般の黒板、ホワイトボード、電子黒板、スクリーン、掲示板等と同様にして用いる。使用に際しては、支持脚９がある場合は、それを倒して先端を着地させ、また、昇降機能や傾斜機能を備えている場合にはその機能を利用して適宜昇降させ、あるいは、傾斜させる。
【００３０】
映写機能を有している場合、即ち、先端にプロジェクターを取り付けたアーム１５を備えている場合には、アーム１５を映写に最適な位置に引き出して、スクリーンとして機能するボード本体１に向け、あるいは、垂下させたスクリーンに向けて映写する。
【００３１】
本考案に係る移動式ボードは上記構成であって、スタンド２、３が広い幅面の木製板材で構成され、あるいは、スタンド２、３に支持脚９が取り付けられているため、安定した立直姿勢を維持し、しかも、視界に入りにくい下端部が突出していないので、躓いて怪我をするおそれがなく、安全である。
【００３２】
また、スタンド２、３が木製であるため、従来のスチール製のものでは到底得られない木材のぬくもりによる癒し効果が得られ、スチール材における加工工程で必要となる各種熱源や防錆潤滑加工油、表面処理材等の、環境や人体に影響を与えるおそれのある化学物質等の使用が不要となるというメリットがあり、使用者の健康と地球環境にやさしい製品とすることができる。
【００３３】
そして更に、スタンド２、３は木製であるために製造加工が容易で、顧客のニーズ、要望に合わせた、また、幼稚園、小学校、病院等の使用場所にマッチした形状とすることができるだけでなく、筆記具差込孔を形成したり、物入れ箱を設置したりすることも容易で、更に、炭要素を付加・配設して吸臭効果を発揮させたり、ボード本体１の昇降機構や傾斜機構を付設することも可能な、非常に有益なものである。
【００３４】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００３５】
１    ボード本体
２    スタンド
３    スタンド
４    キャスター
５    中間層
６    筆記具差込孔
７    小物入れ箱
８    木目材
９    支持脚
１０    昇降駆動手段
１１    昇降装置用フレーム
１２    差渡し材
１３    支軸
１４    穴
１５    アーム
【図１】
0003186646.tif 000003
【図２】
0003186646.tif 000004
【図３】
0003186646.tif 000005
【図４】
0003186646.tif 000006
【図５】
0003186646.tif 000007
【図６】
0003186646.tif 000008
【図７】
0003186646.tif 000009
【図８】
0003186646.tif 000010
【図９】
0003186646.tif 000011